(57)【特許請求の範囲】
【請求項１】
ＰＣＢに固定され、筐体と前記ＰＣＢとの間に、フレキシブルケーブルが挿入される挿入空間を形成する、筐体と、
前記フレキシブルケーブルの導体部分を、前記ＰＣＢの上部の導体部分と直接接触させるように、前記挿入空間に挿入される前記フレキシブルケーブルの上部を下方に押す、前記筐体に回転可能に載置される、アクチュエータと、を備える、フレキシブルケーブルコネクタであって、
前記筐体の材料は、金属であり、前記アクチュエータは、前記筐体の前部に向かって回転することにより閉鎖され、前記筐体の前部から離れて回転することにより開放され、
軸は、前記アクチュエータが閉鎖されているときに、その後部端を構成する前記アクチュエータの一部に形成され、前記軸の一部は、前記フレキシブルケーブルを前記ＰＣＢと密接に接触させるように、前記アクチュエータが閉鎖されているときに、前記フレキシブルケーブルを下方に押す、フレキシブルケーブルコネクタ。
【請求項２】
前記挿入空間の上部を覆う前記筐体の一部に、軸貫通孔は、前記軸が通過することができるように、上部から底部に形成され、前記筐体の前記軸貫通孔の上部に、前記軸を下方に押すことによって弾性支持を提供する支持梁が備え付けられる、請求項１に記載のフレキシブルケーブルコネクタ。
【請求項３】
互いから離間される複数の前記軸および支持梁が形成され、各支持梁は、それぞれの軸に弾性支持を個別に提供する、請求項２に記載のフレキシブルケーブルコネクタ。
【請求項４】
前記挿入空間は、前記筐体の前部または後部に開放され、前記フレキシブルケーブルは、前記挿入空間の開放部分に挿入される、請求項３に記載のフレキシブルケーブルコネクタ。
【請求項５】
前記フレキシブルケーブルが挿入される方向の反対側に位置する前記筐体の一部に、ストッパー部分が、前記フレキシブルケーブルの挿入を制限するように形成される、請求項４に記載のフレキシブルケーブルコネクタ。
【請求項６】
前記フレキシブルケーブルは、前記筐体の前部を介して挿入され、
前記筐体は、
前記ＰＣＢからある間隔で設置され、前記筐体と前記ＰＣＢとの間の空間に前記挿入空間を形成し、その中に形成される前記軸貫通孔を有する、下面部分と、
該下面部分と重なるように、該下面部分の後部端から上方に屈曲する軸支持部分であって、前記支持梁がその端部に形成される、軸支持部分と、
前記下面部分の後部端または前記軸支持部分の一部が、分離され、前記ＰＣＢにはんだ付けされる、はんだ付け部分と、
前記下面部分の後部端または前記軸支持部分の一部を分離することによって形成される、前記ストッパー部分と、
それぞれ前記下面部分の両側に単一ユニットとして形成される、前記挿入空間の側面を覆い、前記ＰＣＢにはんだ付けされる、取付部分と、を備える、請求項５に記載のフレキシブルケーブルコネクタ。
【請求項７】
前記フレキシブルケーブルは、前記筐体の後部を介して挿入され、
前記筐体は、
前記ＰＣＢからある間隔で設置され、前記筐体と前記ＰＣＢとの間の空間に前記挿入空間を形成し、その中に形成される前記軸貫通孔を有する、下面部分と、
該下面部分と重なるように、該下面部分の前部端から上方に屈曲する軸支持部分であって、前記支持梁がその端部に形成される、軸支持部分と、
前記下面部分の前部端が、分離され、前記ＰＣＢにはんだ付けされる、はんだ付け部分と、
前記下面部分の前部端を分離することによって形成される、前記ストッパー部分と、
それぞれ前記下面部分の両側に単一ユニットとして形成される、前記挿入空間の側面を覆い、前記ＰＣＢにはんだ付けされる、取付部分と、を備える、請求項５に記載のフレキシブルケーブルコネクタ。
【請求項８】
前記支持梁の端部は、前記筐体の前部を向いて位置付けられ、前記軸貫通孔の前部分に、重なるように下面部分から上方に屈曲させることによって、前記軸の前方離脱を防止する軸離脱防止部分が形成される、請求項６または請求項７に記載のフレキシブルケーブルコネクタ。
【請求項９】
前記アクチュエータの前記軸は、前記アクチュエータが閉鎖しているときに、垂直方向に長く、前後方向に短い形状で形成される、請求項６または請求項７に記載のフレキシブルケーブルコネクタ。
【請求項１０】
前記筐体に、前記アクチュエータが開放されているときに、前記筐体の後部に向かった前記アクチュエータの必要以上の回転を防止する回転防止構造が備え付けられる、請求項９に記載のフレキシブルケーブルコネクタ。
【請求項１１】
外側傾斜ガイド部分は、前記フレキシブルケーブルを、前記挿入空間に容易に挿入することができるように、前記フレキシブルケーブルが挿入される側面の、前記取付部分の前部端または後部端に形成される、請求項６または請求項７に記載のフレキシブルケーブルコネクタ。
【請求項１２】
前記フレキシブルケーブルを、前記挿入空間に容易に挿入することができるように、前記下面部分の前部端に、上方傾斜ガイド部分が形成される、請求項６に記載のフレキシブルケーブルコネクタ。
【請求項１３】
フレキシブルケーブルをＰＣＢに接続するように構成され、それにより、フレキシブルケーブルの下部の導体部分がＰＣＢの上部の導体部分と直接接触するフレキシブルケーブルコネクタであって、
ＰＣＢに固定される筐体であって、該筐体は、前部端及び後部端を有する下面部分であってＰＣＢの上部からある間隔で位置付けられた下面部分を有し、該下面部分とＰＣＢの上部との間に挿入空間が形成され、前記下面部分は挿入空間の上部境界を画定し、前記ＰＣＢの上部は挿入空間の下部境界を画定し、これにより、挿入空間の挿入開口が画定され、フレキシブルケーブルが挿入開口から挿入されて内部に収容される挿入空間が構成される筐体と、
該筐体に回転可能に載置されるアクチュエータであって、該アクチュエータは互いに対向する第１及び第２の端部を含み、該第２の端部は少なくとも１つの軸を含み、該軸は前記下面部分の前部端と後部端との間に位置し、前記アクチュエータは、前記第１の端部が筐体の前部に向かうように回転することによって開放位置から閉鎖位置に移動し、前記第１の端部が筐体の前部から離れるように回転することによって閉鎖位置から開放位置に移動するように構成され、前記アクチュエータが閉鎖位置にあるときに前記軸の一部が挿入されたフレキシブルケーブルを下方に押す、アクチュエータと、
を備える、フレキシブルケーブルコネクタ。
【請求項１４】
前記筐体は金属から成る、請求項１３に記載のフレキシブルケーブルコネクタ。
【請求項１５】
前記下面部分は、少なくとも１つの軸貫通孔であって、前記軸が通過することができるように、上部から底部まで前部端と後部端との間を貫通して形成された軸貫通孔を有し、前記筐体は、少なくとも１つの支持梁であって、前記軸貫通孔の上部に少なくとも部分的に位置し、前記アクチュエータが閉鎖位置にあるときに、前記軸を下方に押すことによって弾性支持を提供する支持梁を有する、請求項１３に記載のフレキシブルケーブルコネクタ。
【請求項１６】
前記軸および支持梁は複数であり、各支持梁は、対応する軸に弾性支持を個別に提供する、請求項１５に記載のフレキシブルケーブルコネクタ。
【請求項１７】
前記挿入開口は、前記筐体の前部または後部に設けられる、請求項１６に記載のフレキシブルケーブルコネクタ。
【請求項１８】
前記筐体は、前記フレキシブルケーブルの挿入空間への挿入を制限するように前記挿入開口の反対側に位置するストッパー部分を有する、請求項１７に記載のフレキシブルケーブルコネクタ。
【請求項１９】
前記挿入開口は、前記筐体の前部に設けられ、
前記筐体は、
前記下面部分と重なるように、該下面部分の後部端から上方に屈曲する軸支持部分であって、前記支持梁が前記軸支持部分の端部に形成される、軸支持部分と、
前記下面部分の後部端または前記軸支持部分の一部が、分離され、ＰＣＢにはんだ付けされる、はんだ付け部分と、
前記下面部分の後部端または前記軸支持部分の一部を分離することによって形成される、前記ストッパー部分と、
それぞれ前記下面部分の両側に単一ユニットとして形成される、前記挿入空間の側面を覆い、ＰＣＢにはんだ付けされる、取付部分と、を備える、請求項１８に記載のフレキシブルケーブルコネクタ。
【請求項２０】
外側傾斜ガイド部分が、前記取付部分の前部端に形成されている、請求項１９に記載のフレキシブルケーブルコネクタ。
【請求項２１】
前記下面部分の前部端に、上方傾斜ガイド部分が形成されている、請求項１９に記載のフレキシブルケーブルコネクタ。
【請求項２２】
前記支持梁の自由端は、前記筐体の前部を向いて位置付けられ、前記軸貫通孔の前部分に、重なるように下面部分から上方に屈曲させることによって、前記軸の前方離脱を防止する軸離脱防止部分が形成されている、請求項１９に記載のフレキシブルケーブルコネクタ。
【請求項２３】
前記アクチュエータの軸は、前記アクチュエータが閉鎖位置にあるときに、垂直方向に長く、前後方向に短い形状で形成されている、請求項１３に記載のフレキシブルケーブルコネクタ。
【請求項２４】
前記筐体に、前記アクチュエータが閉鎖位置から開放位置に移動するときに、前記筐体の後部に向かう前記アクチュエータの必要以上の回転を防止する回転防止構造が備え付けられている、請求項１３に記載のフレキシブルケーブルコネクタ。
【請求項２５】
前記挿入開口は筐体の後部に設けられ、
前記筐体は、
前記下面部分と重なるように、該下面部分の後部端から上方に屈曲する軸支持部分であって、該軸支持部分の端部に前記支持梁が形成される、軸支持部分と、
前記下面部分の前部端が、分離され、ＰＣＢにはんだ付けされる、はんだ付け部分と、
前記下面部分の前部端を分離することによって形成される、前記ストッパー部分と、
それぞれ前記下面部分の両側に単一ユニットとして形成される、前記挿入空間の側面を覆い、ＰＣＢにはんだ付けされる、取付部分と、を更に備える、請求項１８に記載のフレキシブルケーブルコネクタ。
【請求項２６】
フレキシブルケーブルをＰＣＢに接続するように構成され、それにより、フレキシブルケーブルの下部の導体部分がＰＣＢの上部の導体部分と直接接触するフレキシブルケーブルコネクタであって、
下面部分と、軸支持部分と、はんだ付け部分と、ストッパー部分と、一対の取付部分とを含む筐体であって、
前記下面部分は、ＰＣＢの上部からある間隔で位置付けられ、前記下面部分の上部から底部まで貫通して形成された少なくとも１つの軸貫通孔を有し、
前記軸支持部分は、前記下面部分と重なるように該下面部分の後部端から上方に屈曲し、その端部に間隔の開いた複数の支持梁を画定し、各支持梁は前記下面部分の軸貫通孔の上部に少なくとも部分的に位置し、
前記はんだ付け部分は、前記下面部分の後部端及び軸支持部分の１つから形成され、ＰＣＢに接触してはんだ付けされるように構成され、
前記ストッパー部分は、前記下面部分の後部端及び軸支持部分の１つから形成され、前記下面部分からＰＣＢの上部に向けて下方に延在するように構成され、
前記取付部分は、下面部分の両側に設けられ、ＰＣＢに接触してはんだ付けされるように構成され、
前記下面部分と、ストッパー部分と、取付部分と、ＰＣＢの上部との間に挿入空間が画定され、筐体の前部に挿入開口が画定され、前記挿入空間は、挿入開口から挿入されたフレキシブルケーブルを内部に収容するように構成される、筐体と、
該筐体に回転可能に載置されるアクチュエータであって、該アクチュエータは互いに対向する第１及び第２の端部を含み、該第２の端部は複数の軸を含み、前記アクチュエータは、前記第１の端部が筐体の前部に向かうように回転することによって開放位置から閉鎖位置に移動し、前記第１の端部が筐体の前部から離れるように回転することによって閉鎖位置から開放位置に移動するように構成され、前記アクチュエータの回転中に、前記軸は前記下面部分の少なくとも１つの軸貫通孔を通過し、前記アクチュエータが閉鎖位置にあるときに、前記軸の一部が挿入されたフレキシブルケーブルを下方に押すとともに前記支持梁が前記軸を下方に押すことによって弾性支持を提供する、アクチュエータと、
を備える、フレキシブルケーブルコネクタ。
【請求項２７】
外側傾斜ガイド部分が、各取付部分の前部端に形成されている、請求項２６に記載のフレキシブルケーブルコネクタ。
【請求項２８】
上方傾斜ガイド部分が、各下面部分の前部端に形成されている、請求項２６に記載のフレキシブルケーブルコネクタ。
【請求項２９】
各支持梁の自由端は、前記筐体の前部を向いて位置付けられている、請求項２６に記載のフレキシブルケーブルコネクタ。
【請求項３０】
軸離脱防止部分が少なくとも１つの軸貫通孔の前方に形成され、前記軸離脱防止部分は、前記下面部分の一部を屈曲させて重ねることによって形成されている、請求項２６に記載のフレキシブルケーブルコネクタ。
【請求項３１】
各軸は、前記アクチュエータが閉鎖位置にあるときに、垂直方向に長く、前後方向に短い形状で形成されている、請求項２６に記載のフレキシブルケーブルコネクタ。
【請求項３２】
フレキシブルケーブルをＰＣＢに接続するように構成され、それにより、フレキシブルケーブルの下部の導体部分がＰＣＢの上部の導体部分と直接接触するフレキシブルケーブルコネクタであって、
下面部分と、軸支持部分と、はんだ付け部分と、ストッパー部分と、一対の取付部分とを含む筐体であって、
前記下面部分は、ＰＣＢの上部からある間隔で位置付けられ、前記下面部分の上部から底部まで貫通して形成された少なくとも１つの軸貫通孔を有し、
前記軸支持部分は、前記下面部分と重なるように該下面部分の後部端から上方に屈曲し、その端部に間隔の開いた複数の支持梁を画定し、各支持梁は前記下面部分の軸貫通孔の上部に少なくとも部分的に位置し、
前記はんだ付け部分は、前記下面部分の前部端から形成され、ＰＣＢに接触してはんだ付けされるように構成され、
前記ストッパー部分は、前記下面部分の前部端から形成され、前記下面部分からＰＣＢの上部に向けて下方に延在するように構成され、
前記取付部分は、下面部分の両側に設けられ、ＰＣＢに接触してはんだ付けされるように構成され、
前記下面部分と、ストッパー部分と、取付部分と、ＰＣＢの上部との間に挿入空間が画定され、筐体の後部に挿入開口が画定され、前記挿入空間は、挿入開口から挿入されたフレキシブルケーブルを内部に収容するように構成される、筐体と、
該筐体に回転可能に載置されるアクチュエータであって、該アクチュエータは互いに対向する第１及び第２の端部を含み、該第２の端部は複数の軸を含み、前記アクチュエータは、前記第１の端部が筐体の前部に向かうように回転することによって開放位置から閉鎖位置に移動し、前記第１の端部が筐体の前部から離れるように回転することによって閉鎖位置から開放位置に移動するように構成され、前記アクチュエータの回転中に、前記軸は前記下面部分の少なくとも１つの軸貫通孔を通過し、前記アクチュエータが閉鎖位置にあるときに、前記軸の一部が挿入されたフレキシブルケーブルを下方に押すとともに前記支持梁が前記軸を下方に押すことによって弾性支持を提供する、アクチュエータと、
を備える、フレキシブルケーブルコネクタ。
【請求項３３】
外側傾斜ガイド部分が、各取付部分の後部端に形成されている、請求項３２に記載のフレキシブルケーブルコネクタ。
【請求項３４】
各支持梁の自由端は、前記筐体の前部を向いて位置付けられている、請求項３２に記載のフレキシブルケーブルコネクタ。
【請求項３５】
軸離脱防止部分が少なくとも１つの軸貫通孔の前方に形成され、前記軸離脱防止部分は、前記下面部分の一部を屈曲させて重ねることによって形成されている、請求項３２に記載のフレキシブルケーブルコネクタ。
【請求項３６】
各軸は、前記アクチュエータが閉鎖位置にあるときに、垂直方向に長く、前後方向に短い形状で形成されている、請求項３２に記載のフレキシブルケーブルコネクタ。
【発明の詳細な説明】
【技術分野】
【０００１】
本発明は、フレキシブルケーブルをプリント基板（以下、「ＰＣＢ」）と接触させるためのコネクタに関し、より具体的には、端子の媒体を用いることなく、フレキシブルケーブルをＰＣＢと直接接触させるフレキシブルケーブルコネクタに関する。
【背景技術】
【０００２】
より小型かつより高性能の電子製品に向かう最近の傾向では、多くの電子コンポーネントがＰＣＢに配置され、結果的に、多くの信号が平行して入力および出力される。デバイスとの電気接触の場合、複数の電気ワイヤが単一のケーブルとしてまとめられる、フレキシブルフラットケーブル（ＦＦＣ）およびフレキシブルプリント回路（ＦＰＣ）が広く用いられる。
【０００３】
先行技術のフレキシブルケーブルコネクタは、ＰＣＢに固定され、プラスチックから成形される筐体と、筐体の後部から筐体に挿入され、適所に固定される、複数の終端として形成される端子と、筐体の前部に挿入されるフレキシブルケーブルを、筐体内の適所に固定するアクチュエータとを備えた。
【０００４】
この構成を有する先行技術のフレキシブルケーブルコネクタは、終端によって仲介されるフレキシブルケーブルとＰＣＢとの間の接続を確立するように設計される。フレキシブルケーブルは、最初に、アクチュエータがその開放状態にある状態で、筐体に挿入され、次に、フレキシブルケーブルは、アクチュエータが閉鎖しているときに、終端と接触する。筐体は、取付釘を用いてＰＣＢに固定される。
【０００５】
上述の構成を有する先行技術のフレキシブルケーブルコネクタの場合、フレキシブルケーブルは、終端の媒体によってＰＣＢに接触し、かつ筐体は、別々の取付釘によってＰＣＢに固定されるため、信号伝送アーキテクチャおよび全体的なコネクタアーキテクチャは複雑である。結果として、製品製造費用を削減し、製品を小型化することは困難である。
【先行技術文献】
【特許文献】
【０００６】
【特許文献１】韓国登録特許第１０−１１７０４２８号公報
【特許文献２】韓国登録特許第１０−１３１０１３８号公報
【発明の概要】
【発明が解決しようとする課題】
【０００７】
上述の先行技術の問題に取り組むために発明された本発明の目的は、信号伝送アーキテクチャおよび全体的なコネクタアーキテクチャを簡略化することができるフレキシブルケーブルコネクタを提供することである。
【課題を解決するための手段】
【０００８】
本発明のフレキシブルケーブルコネクタは、ＰＣＢに固定され、筐体とＰＣＢとの間に、フレキシブルケーブルが挿入される挿入空間を形成する、筐体と、フレキシブルケーブルの導体部分を、ＰＣＢの上部の導体部分と直接接触させるように、挿入空間に挿入されるフレキシブルケーブルの上部を下方に押す、筐体に回転可能に載置される、アクチュエータとを備える。
【０００９】
筐体の材料は、金属であり、アクチュエータは、筐体の前部に向かって回転することにより閉鎖され、筐体の前部から離れて回転することにより開放される。
【００１０】
軸は、アクチュエータが閉鎖されているときに、その後部端を構成するアクチュエータの一部に形成され、軸の一部は、フレキシブルケーブルをＰＣＢと密接に接触させるように、アクチュエータが閉鎖されているときに、フレキシブルケーブルを下方に押す。
【００１１】
挿入空間の上部を覆う筐体の一部に、軸貫通孔は、軸が通過することができるように、上部から底部に形成され、筐体の軸貫通孔の上部に、軸を下方に押すことによって弾性支持を提供する支持梁が備え付けられる。
【００１２】
複数の軸および支持梁は、互いから離間されてそれぞれ形成され、各支持梁は、各軸に個別に弾性支持を提供する。
【００１３】
挿入空間は、筐体の前部および後部に向かって開放され、フレキシブルケーブルは、挿入空間の開放部分を介して挿入される。
【００１４】
フレキシブルケーブルが挿入される方向の反対側に位置する筐体の一部に、ストッパー部分が、フレキシブルケーブルの挿入を制限するように形成される。
【００１５】
筐体は、ＰＣＢからある間隔で設置され、筐体とＰＣＢとの間の空間に挿入空間を形成し、その中に形成される軸貫通孔を有する、下面部分と、下面部分と重なるように、下面部分の後部端から上方に屈曲する軸支持部分であって、支持梁がその端部に形成される、軸支持部分と、下面部分の後部端または軸支持部分の一部が、分離され、ＰＣＢにはんだ付けされる、はんだ付け部分と、下面部分の後部端または軸支持部分の一部を分離することによって形成される、ストッパー部分と、それぞれ下面部分の両側に単一ユニットとして形成される、挿入空間の側面を覆い、ＰＣＢにはんだ付けされる、取付部分とを備える。
【００１６】
筐体は、ＰＣＢからある間隔で設置され、筐体とＰＣＢとの間の空間に挿入空間を形成し、その中に形成される軸貫通孔を有する、下面部分と、下面部分と重なるように、下面部分の後部端から上方に屈曲する軸支持部分であって、支持梁がその端部に形成される、軸支持部分と、下面部分の前部端が、分離され、ＰＣＢにはんだ付けされる、はんだ付け部分と、下面部分の前部端を分離することによって形成される、ストッパー部分と、それぞれ下面部分の両側に単一ユニットとして形成される、挿入空間の側面を覆い、ＰＣＢにはんだ付けされる、取付部分とを備える。
【００１７】
支持梁の端部は、筐体の前部を向いて位置付けられ、軸貫通孔の前部分に、下面部分と重なるように下面部分から上方に屈曲する軸離脱防止部分が形成され、したがって、軸の前方離脱を防止する。
【００１８】
アクチュエータの軸は、アクチュエータが閉鎖しているときに、垂直方向に長く、前後方向に短い形状で形成される。
【００１９】
筐体に、アクチュエータが開放されているときに、アクチュエータが筐体の後部に向かって必要以上に回転することを防止する回転防止構造が備え付けられる。
【００２０】
外側傾斜ガイド部分は、フレキシブルケーブルを、挿入空間に容易に挿入することができるように、フレキシブルケーブルが挿入される側面の、取付部分の前部端または後部端に形成される。
【００２１】
フレキシブルケーブルを、挿入空間に容易に挿入することができるように、下面部分の前部端に、上方傾斜ガイド部分が形成される。
【発明の効果】
【００２２】
以下の効果を本発明のフレキシブルケーブルコネクタから得ることができる。
【００２３】
第１に、フレキシブルケーブルが端子なしでＰＣＢと直接接触するように構成され、かつ別々の取付釘が必要とされないため、信号伝送アーキテクチャおよび全体的なコネクタアーキテクチャは、簡略化され、結果として、製品製造費用を低減することができ、製品を小型化することができる。
【００２４】
第２に、この筐体に備え付けられる支持梁が、アクチュエータの軸を独立して押して、支持を提供し、それによって、ＰＣＢおよびフレキシブルケーブルの各ピンに対して一貫した接触圧を維持することができるように構成されるため、フレキシブルケーブルとＰＣＢとの間に安定した接触を維持することができる。特に、接触の等しい信頼性を両側および中央で確実にすることができるため、ＰＣＢおよびフレキシブルケーブルにおけるピンの数が増加するとしても、その接触状態は、一貫したままであることができる（すなわち、少しのピンから多くのピンに及ぶ様々な場合にわたって適用することができる）。
【図面の簡単な説明】
【００２５】
【図１】ＦＰＣを挿入するための、実施形態１による本発明のフレキシブルケーブルコネクタの斜視図である。
【図２】実施形態１による本発明のフレキシブルケーブルコネクタに十分に挿入されたＦＰＣの斜視図である。
【図３】実施形態１による本発明のフレキシブルケーブルコネクタの分解斜視図である。
【図４】ＦＰＣが挿入される工程を示す断面図である。
【図５】ＦＰＣが挿入される工程を示す断面図である。
【図６】ＦＰＣが挿入される工程を示す断面図である。
【図７】図３に示されるアクチュエータと取付釘との間の連結関係を示す断面図である。
【図８】実施形態２による本発明のフレキシブルケーブルコネクタへのＦＰＣの挿入の斜視図である。
【図９】実施形態２による本発明のフレキシブルケーブルコネクタに挿入されたＦＰＣの斜視図である。
【図１０】本発明の実施形態２に従ってＦＰＣが挿入される工程を示す断面図である。
【図１１】本発明の実施形態２に従ってＦＰＣが挿入される工程を示す断面図である。
【図１２】本発明の実施形態２に従ってＦＰＣが挿入される工程を示す断面図である。
【発明を実施するための形態】
【００２６】
以下に、本発明のフレキシブルケーブルコネクタの好ましい実施形態が、添付の図面を参照して詳細に説明される。フレキシブルケーブルの例として、これらの実施形態においてＦＰＣのみが説明されるが、用いられるフレキシブルケーブルは、これに限定されず、ＦＦＣ等の他のフレキシブルケーブルも用いることができる。
【００２７】
図１は、ＦＰＣを挿入するための、実施形態１による本発明のフレキシブルケーブルコネクタの斜視図である。図２は、実施形態１による本発明のフレキシブルケーブルコネクタに十分に挿入されたＦＰＣの斜視図である。
【００２８】
本実施形態によるフレキシブルケーブルコネクタ（１００）は、ＰＣＢ（１０）にはんだ付けされ、筐体（１１０）とＰＣＢ（１０）との間に、ＦＰＣ（２０）が挿入される挿入空間を形成する、筐体（１１０）と、ＦＰＣ（２０）とＰＣＢ（１０）との間に直接的接触を確立するように、挿入空間に挿入されるＦＰＣ（２０）の上面を下方に押すように、筐体（１１０）に回転可能に載置されるアクチュエータ（１２０）とを備える。ここで、筐体（１１０）は、金属材料の金属シェルである。
【００２９】
本実施形態によるフレキシブルケーブルコネクタ（１００）は、前部フリップ型構造を有し、アクチュエータ（１２０）は、筐体（１１０）の前部に向かって回転することにより閉鎖され、ＦＰＣ（２０）は、筐体（１１０）の前部を介して挿入される。アクチュエータ（１２０）は、筐体（１１０）の前側から離れた方向に回転することにより開放される。
【００３０】
図１に示されるように、アクチュエータ（１２０）が開放されたとき、ＦＰＣ（２０）は、筐体（１１０）の前部を介して挿入空間に挿入されるか、または挿入空間から除去される。アクチュエータ（１２０）は、開放時に垂直である。
【００３１】
図２に示されるように、ＦＰＣ（２０）が挿入空間に十分に挿入された後、アクチュエータ（１２０）が、筐体（１１０）の前部に向かって回転することにより閉鎖される場合、その後、ＦＰＣ（２０）は、挿入空間内の適所に強固に固定され、ＦＰＣ（２０）は、その接触ピンのそれぞれが直接接触するため、ＰＣＢ（１０）の上面と密接に接触する。
【００３２】
図３は、実施形態１による本発明のフレキシブルケーブルコネクタの分解斜視図である。図４〜６は、ＦＰＣが挿入される工程を示す断面図である。
【００３３】
本発明のフレキシブルケーブルコネクタ（１００）は、金属から形成される筐体（１１０）と、プラスチック等の絶縁体から形成されるアクチュエータ（１２０）とを備える。筐体（１１０）は、下面部分（１１１）、軸支持部分（１１２）、はんだ付け部分（１１３）、ＦＰＣストッパー部分（１１４）、取付部分（１１５）、および軸離脱防止部分（１１６）を備える。軸（１２１）は、アクチュエータ（１２０）に備え付けられる。
【００３４】
下面部分（１１１）は、ＰＣＢ（１０）の上方にある間隔で設置され、下面部分（１１１）とＰＣＢ（１０）との間に、ＦＰＣ（２０）が挿入される挿入空間（１３０）を形成する。アクチュエータ（１２０）の軸（１２１）が挿入され、回転することができるように、下面部分（１１１）に、軸（１２１）と同一の数で左右に離間される複数の軸貫通孔（１１１ａ）が形成される。筐体（１１０）の挿入空間（１３０）は、前部に開放される。
【００３５】
軸支持部分（１１２）は、下面部分（１１１）の後部から延在し、アクチュエータ（１２０）の軸（１２１）を弾性的に支持するように、下面部分（１１１）と重なるように屈曲する。軸支持部分（１１２）の端部は、筐体（１１０）の前部を向いて位置付けられる。軸支持部分（１１２）は、下面部分（１１１）の後部端から延在し、下面部分（１１１）と重なるように屈曲する延在部分（１１２ａ）と、延在部分（１１２ａ）の端部から垂直に上方に屈曲する垂直部分と、軸（１２１）を押し、支持するように垂直部分（１１２ｂ）の上端から水平に前方に屈曲する支持梁（１１２ｃ）とを備える。複数の支持梁（１１２ｃ）は、各軸貫通孔（１１１ａ）の上方に位置付けられ、左右に離間されて形成される。この軸支持部分（１１２）の屈曲構造に起因して、支持梁（１１２ｃ）は、弾性を持ち、各支持梁（１１２ｃ）は、軸（１２１）に弾性支持を提供する。
【００３６】
はんだ付け部分（１１３）は、下面部分（１１１）の後部端から離れて形成され、ＰＣＢ（１０）にはんだ付けされる。
【００３７】
挿入空間（１３０）の後側を覆い、ＦＰＣ（２０）の挿入を制限するように、下面部分（１１１）から下方に離れて延在する、ＦＰＣストッパー部分（１１４）が形成される。
【００３８】
複数のはんだ付け部分（１１３）およびＦＰＣストッパー部分（１１４）は、互いと交互に形成され、位置付けられる。はんだ付け部分（１１３）およびＦＰＣストッパー部分（１１４）は、下面部分（１１１）から離れて形成されるが、これに限定されず、軸支持部分（１１２）からも離れて形成され得る。
【００３９】
ＰＣＢ（１０）にはんだ付けされ、挿入空間（１３０）の側面を覆うように、単一ユニットとして下面部分（１１１）の両側に延在する、取付部分（１１５）が形成される。
【００４０】
軸離脱防止部分（１１６）は、軸貫通孔（１１１ａ）の前部において下面部分（１１１）から延在し、軸（１２１）の前方離脱を防止するように、下面部分（１１１）の上部と重なるように屈曲する。下面部分（１１１）の上面の上方に突出する軸離脱防止部分（１１６）が形成されるため、アクチュエータ（１２０）の軸（１２１）が、軸貫通孔（１１１ａ）内を回転するとき、軸（１２１）はそこに引っ掛かり、したがって、前部に向かって離脱することができない。軸離脱防止部分（１１６）の屈曲部分は、曲線を形成するため、軸（１２１）が回転するときに、損傷することなく円滑に回転することができる。
【００４１】
筐体（１１０）を構成する下面部分（１１１）の前部端に、ＦＰＣ（２０）を容易に挿入することができるようにＦＰＣ（２０）をガイドする、斜め方向に上方に傾斜するガイド部分（１１１ｂ）が形成される。同様に、取付部分（１１５）の前部端に、ＦＰＣ（２０）を容易に挿入することができるようにＦＰＣ（２０）をガイドする、外側に傾斜するガイド部分（１１５ｂ）が形成される。
【００４２】
アクチュエータ（１２０）が閉鎖されているときに、その後部端を構成するアクチュエータ（１２０）の一部に、互いから離間される複数の軸（１２１）が形成される。アクチュエータ（１２０）が閉鎖されているときに、軸（１２１）の一部は、ＦＰＣ（２０）を下方に押して、ＰＣＢ（１０）との密接な接触を確立する。図６に示されるように、軸（１２１）は、アクチュエータ（１２０）が閉鎖しているときに、垂直方向に長く、前後方向に短い形状で形成される。結果として、図６に示されるように、軸（１２１）が閉鎖されているときに、長い部分は垂直であり、ＦＰＣ（２０）を押し、図４に示されるように、それらが開放されているときに、長い部分は、水平になり、ＦＰＣ（２０）を押していた力は、解放され、ＦＰＣ（２０）を挿入または除去することが可能になる。
【００４３】
アクチュエータ（１２０）が開放されていて、垂直位置となるとき、アクチュエータ（１２０）の後部端の軸（１２１）間に形成される部分は、アクチュエータ（１２０）の開放状態よりさらに後方への回転を防止するように、支持梁（１１２ｃ）が形成される部分に引っ掛かるように、支持梁（１１２ｃ）間に挿入される。
【００４４】
上述の構成を有する本発明のフレキシブルケーブルコネクタ（１００）にＦＰＣ（２０）を挿入する工程が、図４〜６を参照して以下に説明される。
【００４５】
図４に示されるように、アクチュエータ（１２０）が垂直位置にあるときに、軸（１２１）の長い部分は、軸貫通孔（１１１ａ）内の水平位置にあり、挿入空間（１３０）は、完全に開放されている。
【００４６】
図５に示されるように、ＦＰＣ（２０）は、筐体（１１０）の前部を介して挿入空間（１３０）に挿入され、ＦＰＣ（２０）の前部端は、ＦＰＣストッパー部分（１１４）に接触することに起因して、それ以上挿入することができなくなるまで挿入される。ＦＰＣ（２０）が十分に挿入されたときに、アクチュエータ（１２０）は、筐体（１１０）の前部に向かって回転する。この工程において、アクチュエータ（１２０）の軸（１２１）は、それらが上方に離脱することができないように、軸支持部分（１１２）の支持梁（１１２ｃ）によって支持されている間に回転する。支持梁（１１２ｃ）は、弾性を持ち、したがって、損傷せず、上方に持ち上げられる。
【００４７】
図６に示されるように、アクチュエータ（１２０）が完全に閉鎖しているときに、軸（１２１）の長い部分は、垂直になり、長い部分の一方の端部は、ＦＰＣ（２０）の上面を押し、一方で、他方の端部は、支持梁（１１２ｃ）に接触し、支持梁（１１２ｃ）によって押される。軸（１２１）は、ＦＰＣ（２０）がＰＣＢ（１０）の上面と密接に接触するように、支持梁（１１２ｃ）の弾性力によって下方に押され、ＦＰＣ（２０）の接触ピンをＰＣＢ（１０）の接触ピンと直接接触させる。
【００４８】
図７は、図３に示されるアクチュエータと取付釘との連結関係を示す断面図である。
【００４９】
取付部分（１１５）の上部に、アクチュエータ（１２０）の側面が上方に持ち上げられることを防止する、アクチュエータ（１２０）に向かって屈曲するタブ（１１５ａ）が形成される。ブロッキング部分（１２２）は、アクチュエータ（１２０）の両側でタブ（１１５ａ）の下に突出する。アクチュエータ（１２０）が、垂直位置に配置されたときに、タブ（１１５ａ）に引っ掛かり、アクチュエータ（１２０）の所望されない回転を防止するように、アクチュエータ（１２０）の両側に、ブロッキング部分（１２２）から離間される回転防止ブロック（１２３）が形成される。
【００５０】
図８は、実施形態２による本発明のフレキシブルケーブルコネクタへのＦＰＣの挿入の斜視図である。図９は、実施形態２による本発明のフレキシブルケーブルコネクタに挿入されたＦＰＣの斜視図である。
【００５１】
本実施形態によるフレキシブルケーブルコネクタ（２００）は、ＰＣＢ（１０）にはんだ付けされ、筐体（２１０）とＰＣＢ（１０）との間に、ＦＰＣ（２０）が挿入される挿入空間を形成する、筐体（２１０）と、ＦＰＣ（２０）とＰＣＢ（１０）との間に直接的接触を確立するように、挿入空間に挿入されるＦＰＣ（２０）の上面を下方に押すように、筐体（２１０）に回転可能に載置される、アクチュエータ（２２０）とを備える。
【００５２】
本実施形態によるフレキシブルケーブルコネクタ（２００）は、後部フリップ型構造を有する。アクチュエータ（２２０）は、筐体（２１０）の前部に向かって回転することにより閉鎖され、ＦＰＣ（２０）は、筐体（２１０）の後部を介して挿入される。
【００５３】
図８に示されるように、アクチュエータ（２２０）が開放されたときに、ＦＰＣ（２０）は、筐体（２１０）の後部を介して挿入空間に挿入されるか、または挿入空間から除去される。アクチュエータ（２２０）は、開放時に垂直である。
【００５４】
図９に示されるように、ＦＰＣ（２０）が、挿入空間に十分に挿入された後、アクチュエータ（２２０）が、筐体（２１０）の前部に向かって回転することにより閉鎖される場合、その後、ＦＰＣ（２０）は、挿入空間内の適所に強固に固定され、ＦＰＣ（２０）は、その接触ピンのそれぞれが直接接触するため、ＰＣＢ（１０）の上面と密接に接触する。
【００５５】
図１０〜１２は、本発明の実施形態２に従ってＦＰＣが挿入される工程を示す断面図である。
【００５６】
本発明のフレキシブルケーブルコネクタ（２００）は、金属から形成される筐体（２１０）と、プラスチック等の絶縁体から形成されるアクチュエータ（２２０）とを備える。筐体（２１０）は、下面部分（２１１）、軸支持部分（２１２）、はんだ付け部分（２１３）、ＦＰＣストッパー部分（２１４）、取付部分（２１５）、および軸離脱防止部分（２１６）を備える。軸（２２１）は、アクチュエータ（２２０）に備え付けられる。
【００５７】
本実施形態によるフレキシブルケーブルコネクタ（２００）は、筐体（２１０）の下面部分（２１１）とＰＣＢ（１０）との間に形成される挿入空間（２３０）が、筐体（２１０）の後部に向かって開放されるように形成される。この目的のために、ＰＣＢ（１０）にはんだ付けされるはんだ付け部分（２１３）は、下面部分（２１１）の前部端から離れて形成され、ＦＰＣ（２０）の挿入を制限するＦＰＣストッパー部分（２１４）もまた、下面部分（２１１）の前部から離れて形成される。
【００５８】
実施形態１において下面部分（１１１）の前部端に形成されるガイド部分（１１１ｂ）は、本実施形態においては形成されない。具体的には、ＦＰＣ（２０）が筐体（２１０）の後部に挿入されるときに、ＦＰＣ（２０）を損傷なく容易に挿入することができるように、軸支持部分（２１２）が屈曲し、下面部分（２１１）の後部端から延在し、屈曲部分が曲線を形成するため、別々のガイド部分は構成されない。
【００５９】
実施形態１において、ガイド部分（１１５ｂ）は、取付部分（１１５）の前部端に形成されたが、本実施形態において、ガイド部分（２１５ａ）は、取付部分（２１５）の後部端に形成される。
【００６０】
上述の構成を有する本発明のフレキシブルケーブルコネクタ（２００）にＦＰＣ（２０）を挿入する工程が、図１０〜１２を参照して以下に説明される。
【００６１】
図１０に示されるように、アクチュエータ（２２０）が垂直位置にあるときに、軸（２２１）の長い部分は、軸貫通孔（２１１ａ）内の水平位置にあり、挿入空間（２３０）は、完全に開放されている。
【００６２】
図１１に示されるように、ＦＰＣ（２０）は、筐体（２１０）の後部を介して挿入空間（２３０）に挿入され、ＦＰＣ（２０）の前部端は、ＦＰＣストッパー部分（２１４）に接触することに起因して、それ以上挿入することができなくなるまで挿入される。ＦＰＣ（２０）が十分に挿入されたときに、アクチュエータ（２２０）は、筐体（２１０）の前部に向かって回転する。この工程において、アクチュエータ（２２０）の軸（２２１）は、それらが上方に離脱することができないように、軸支持部分（２１２）の支持梁（２１２ｃ）によって支持されている間に回転する。
【００６３】
図１２に示されるように、アクチュエータ（２２０）が完全に閉鎖されている場合、軸（２２１）の長い部分は、垂直になり、長い部分の一方の端部は、ＦＰＣ（２０）の上面を押し、一方で、他方の端部は、支持梁（２１２ａ）によって押される。軸（２２１）は、ＦＰＣ（２０）がＰＣＢ（１０）の上面と密接に接触するように、支持梁（２１２ｃ）の弾性力によって下方に押され、ＦＰＣ（２０）の接触ピンをＰＣＢ（１０）の接触ピンに直接接触させる。
【００６４】
上記に、好ましい実施形態に基づいて、本発明のフレキシブルケーブルコネクタが説明されているが、しかしながら、本発明は、特定の実施形態に限定されず、関連分野の当業者であれば、特許請求の範囲に開示される範囲から逸脱することなく、これらの実施形態を種々の方法で修正することができる。
【符号の説明】
【００６５】
１０：ＰＣＢ
２０：ＦＰＣ
１００、２００：フレキシブルケーブルコネクタ
１１０、２１０：筐体
１１１、２１１：下面部分
１１１ａ、２１１ａ：軸貫通孔
１１１ｂ：ガイド部分
１１２、２１２：軸支持部分
１１２ａ：延在部分
１１２ｂ：垂直部分
１１２ｃ、２１２ａ：支持梁
１１３、２１３：はんだ付け部分
１１４、２１４：ＦＰＣストッパー部分
１１５、２１５：取付部分
１１５ａ：タブ
１１５ｂ、２１５ａ：ガイド部分
１１６、２１６：軸離脱防止部分
１２０、２２０：アクチュエータ
１２１、２２１：軸
１２２：ブロッキング部分
１２３：回転防止ブロック
１３０、２３０：挿入空間
【図１】
0005990301.tif 000002
【図２】
0005990301.tif 000003
【図３】
0005990301.tif 000004
【図４】
0005990301.tif 000005
【図５】
0005990301.tif 000006
【図６】
0005990301.tif 000007
【図７】
0005990301.tif 000008
【図８】
0005990301.tif 000009
【図９】
0005990301.tif 000010
【図１０】
0005990301.tif 000011
【図１１】
0005990301.tif 000012
【図１２】
0005990301.tif 000013